(57)【要約】【課題】納入機種ごとに仕様の異なる多品種の電源装置を遠隔監視する，ネットワーク管理システムを簡易な構成により低コストで提供する。【解決手段】特性データ検出手段と，半導体を含む電源回路とから構成される電源装置に対し，ＭＩＢ情報蓄積手段，データ送・受信制御手段，通信回線で送受信する通信インタフェースを具備しＯＩＤを付与したＳＮＭＰエージェント機能モジュールを付帯させる。一方，ＳＮＭＰマネージャ側に，通信インタフェース，データ送・受信制御手段，ＭＩＢデータベース蓄積手段，仕様の違いに備えて追記できる冗長性を有するＭＩＢデータベース追記手段，特性データ判断手段と表示手段を具備させる。該通信回線を介してＳＮＭＰマネージャ側を接続しネットワーク管理する。【選択図】  図１。
2005157903.tif 000002
【特許請求の範囲】
【請求項１】
検出した特性値データをＭＩＢの規約に基づきデータビット列に変換して蓄積するＭＩＢ情報蓄積装置と，ＭＩＢデータを送信する為のデータ送信制御手段と；該データを所定の通信回線で伝送する為の通信インターフェイスと；通信回線から受信するための受信制御手段とを；具備したＳＮＭＰエージェント機能モジュールを：被管理電源装置の特性値および，該装置に付帯する部材の特性値を検出する特性データ検出手段を有する電源装置に付帯させて：ＳＮＭＰマネージャ側で：通信インターフェイスと，伝送されたデータを受信して蓄積するＭＩＢデータベース蓄積手段と，追記できるように冗長性を有するＭＩＢデータベース追記手段と，運転状態と基準値と比較して異常を判断する判断手段と，受信データの表示及び判断結果の表示を制御する表示制御手段及び表示手段を具備し：ＳＮＭＰエージェント機能モジュールから伝送され受信したデータ及び，該判断手段で得た判断データを表示させて遠隔監視できることを特徴とする電源装置のネットワーク管理システム。
【請求項２】
ＳＮＭＰエージェント機能モジュールが，オブジェクト識別子（ＯＩＤ）がネットワーク被管理電源装置毎に付与されたメモリーデバイスと，ＣＰＵデバイスとで形成されたＳＮＭＰエージェント機能モジュールである請求項１記載の電源装置のネットワーク管理システム。
【請求項３】
ＳＮＭＰエージェント機能モジュールが，納入先別の番号がネットワーク被管理電源装置毎に付与されたメモリーデバイスと，ＣＰＵデバイスとで形成されたＳＮＭＰエージェント機能モジュールである請求項１及び２記載の，電源装置のネットワーク管理システム。
【請求項４】
請求項１乃至３記載の，電源装置のネットワーク管理システムにおいて，被管理電源装置の特性値が，半導体素子の温度又は故障の判定が出来る特性値のうち何れか又は，全てを含むものとする電源装置のネットワーク管理システム。
【請求項５】
電源装置のネットワーク管理システムにおいて，ＭＩＢデータベース蓄積手段に格納された特性値が，入力電圧，入力電流，入力電力，出力電圧，出力電流，出力電力，被管理電源装置内部の所定部位の電圧・電流，付帯する部材の特性値のうち何れか又は，全てを含むものとする請求項１乃至４記載の，電源装置のネットワーク管理システム。
【請求項６】
電源装置のネットワーク管理システムにおいて，ＭＩＢデータベース蓄積手段に格納された，付帯する部材の特性値が，電圧，電流，温度に加えて，異常及び故障の判定が出来る基準特性値を含むものとする請求項１乃至５記載の，電源装置のネットワーク管理システム。
【請求項７】
電源装置のネットワーク管理システムにおいて，被管理電源装置が，付帯する部材の特性値判定のために，電池の電圧・残存容量又は寿命末期又は故障の判定が可能な数値データ収集の指令を出す電源機能管理手段を含む電源装置である請求項１乃至６記載の，電源装置のネットワーク管理システム。
【請求項８】
ＭＩＢ情報蓄積手段に蓄積されたのデータが，ＳＮＭＰ（Simple Network Management Protocol）に従って制御されて，送信され受信されることを特徴とする請求項１乃至７記載の電源装置ネットワーク管理システム。
【発明の詳細な説明】
【技術分野】
【０００１】
本発明は，光源用や通信機用，電池充電用，溶接機用，試験用などに用いられる電源装置のネットワーク管理システムに関し，遠隔地から複数の各種電源装置について出力電圧値や故障状態などの監視を可能にする。
【背景技術】
【０００２】
従来，通信機用など各種電源装置としては，出力を定電圧特性に維持する半導体素子による制御電源が用いられている。各納入地に設置された制御電源の運転状況に異常がないかどうか，設置現場に出向かなくても監視出来るシステムが必要となる。従来の「組込み電子機器のネットワーク管理」についての技術を開示した特許文献１がある。
【０００３】
【特許文献１】「特開２００２−２２９８７５」公報。「発明の名称：組込型電子機器および組込電子機器管理方法，ならびに，組込電子機器」の（段落０００２）に「ネットワークに接続された機器を管理するためのプロトコルとしてＳＮＭＰが提供されている。ＳＮＭＰでは，システム管理者により起動されるネットワーク監視端末（ＳＮＭＰマネージャと称される）と，ＳＮＭＰが実装されるネットワーク上の機器（ＳＮＭＰエージェントと称される）との間のプロトコルが規定される。ＳＮＭＰではＭＩＢと称されるＳＮＭＰエージェントが持つ情報に，ＳＮＭＰマネージャがアクセスすることで，機器の状態の把握や機器に設定される定義情報の変更が可能とされる。」と記述されている。
【０００４】
同公報（段落０００３）に「例えば放送局で使用されるビデオ機器をＴＣＰ／ＩＰによるネットワーク接続により管理することが提案されている。このとき，ＳＮＭＰエージェント機能を有さない機器をＳＮＭＰにより管理するためには，ＳＮＭＰエージェント機能が実装されている機器をプロキシエージェントとして設ける必要がある。すなわち，プロキシエージェントによって，ＳＮＭＰエージェント機能を有さない機器とＳＮＭＰとの仲介を行い，当該機器のＳＮＭＰのよる管理を可能とする。」この説明のために同公報の図２１（本明細書では図３）に示し，同公報の（段落０００４）に「プロキシエージェントによる一例のアーキテクチャを示す。ＳＮＭＰマネージャ３００により，独自の管理インターフェイスに対応した機器３２０がプロキシエージェント３１０を介して管理される」
【０００５】
同公報（段落０００５）に「ＳＮＭＰマネージャ３００側の管理アプリケーション３０１で発行されたコマンドは，クライアント・スタブ３０２でプロトコル・スタック３０３によりプロトコル解釈されてＳＮＭＰに変換され，ＳＮＭＰマネージャ３００から送信される。このＳＮＭＰに変換されたコマンドは，プロキシエージェント３１０に受信され，プロトコル・スタック３１３およびサーバ・スタブ３１２を介してプロキシエージェント・アプリケーション３１１に供給される。」（段落０００６）に「一方，機器３２０は，ＳＮＭＰとは異なるプロトコルを用いた独自の管理インターフェイス３２１により管理される。ＳＮＭＰマネージャ３００から送信されたＳＮＭＰはプロキシエージェント・アプリケーション３１１において，クライアント・プロキシ・スタブ３１４によりプロトコル・スタック３１５を用いて機器３２０の独自の管理インターフェイス３２１が対応するプロトコルに変換される。このプロトコル変換されたコマンドが機器３２０に送信され管理インターフェイス３２１に受信される。」と記載されている。このようにＳＮＭＰ非対応の機器を管理することが出来るのであるが，次の問題点があった。
【０００６】
ＳＮＭＰ非対応の各種電源装置をネットワーク管理するとき，プロキシエージェントは各電源装置（被プロキシエージェント機器）に関する全管理項目を把握している必要があるという問題点があった。また，上記のようにプロトコル変換処理装置をプロキシエージェントに装備することは，そのソフトウエアを含む開発コストが高く，管理される各電源装置の仕様が変わる都度，プロキシエージェントの管理項目の構成が変わるため，プロキシエージェント・アプリケーションを都度ソフトウエア開発することになり時間とコストが（例えば，５０人・日）掛かる欠点があった。
【発明の開示】
【発明が解決しようとする課題】
【０００７】
ネットワーク管理される電源装置（被プロキシエージェント機器）はユーザから提示される仕様が多種多様である。極端な場合，１台ごとに電気特性が異なる各種の電気特性値を有する電源装置に対して，通信内容のデータ情報管理ソフトウエア開発に大きい投資を必要としない管理システムの提供が課題であった。
【課題を解決するための手段】
【０００８】
上記課題を解決するために，機種ごとにプロキシエージェント・アプリケーションのソフトウエア開発をする事になってしまうので，これを避けて簡易な方法によって同様の機能をもたせる技術を創造した。その着眼点は，納入先別またはユーザ別の番号の採用で，簡素化された信号の通信で，電源装置の運転状態や故障状態の判断情報が伝送できるとの見通しを得た。納入する全装置を納入先別で大分類の整理をするならば，例えば，アーク溶接電源，放電灯電源，電解用・めっき用電源，電池充電用など内部特性や構成がわかる用途別分類に略一致する。この結果，例えば，「定電圧制御インバータ方式の充電用電源」であると想定して遠隔監視できるので異常か正常運転中かを経験者ならば判定できる。遠隔監視は，納入された電源装置のアフターサービスの目的に必要であるから，上記の様に市場に出荷する機種が将来的に限りなく増加していく電源装置を効率よく遠隔監視する為の手段として納入先別の分類は有効である。
【０００９】
請求項１に関しては，半導体を含む電源装置の特性値，該装置に付帯する部材の特性値のうち何れか又は全てを検出する特性データ検出手段を設けた電源装置に対して；検出したデータをＭＩＢの規約に基づきデータビット列に変換して送信する為の，データ送信制御手段と；データを所定のネットワーク回線で伝送する為の通信インターフェイスと；ネットワーク回線から受信するための受信制御手段とを：具備したＳＮＭＰエージェント機能モジュールを：該電源装置の回路に接続することによって付帯させて；ＳＮＭＰマネージャ側で：通信インターフェイスと，伝送されたデータを受信して蓄積するＭＩＢデータベース蓄積手段と，仕様の違いに備えて追記できるように冗長性を有するＭＩＢデータベース追記手段と，運転状態と基準値と比較して異常を判断する判断手段と，受信データの表示及び判断結果の表示を制御する表示制御手段及び表示手段を具備し：ＳＮＭＰエージェント機能モジュールから伝送され受信したデータ及び，該判断手段で得た判断データを表示させて遠隔監視できることを特徴とする電源装置のネットワーク管理システムとした。
請求項２に関しては，ＳＮＭＰエージェント機能モジュールは，オブジェクト識別子（ＯＩＤ）がネットワーク被管理電源装置毎に付与されたメモリーデバイスと，ＣＰＵデバイスとで形成されたＳＮＭＰエージェント機能モジュールである請求項１記載の，電源装置のネットワーク管理システムとした。
請求項３に関しては，ＳＮＭＰエージェント機能モジュールは，納入先別の番号がネットワーク被管理電源装置毎に付与されたメモリーデバイスと，ＣＰＵデバイスとで形成されたＳＮＭＰエージェント機能モジュールである請求項１及び２記載の，電源装置のネットワーク管理システムとした。
請求項４に関しては，請求項１乃至３記載の，電源装置のネットワーク管理システムにおいて，部材の特性値には，半導体素子の温度又は故障の判定が出来る特性値のうち何れか又は，全てを含むものとする電源装置のネットワーク管理システムとした。
請求項５に関しては，電源装置のネットワーク管理システムにおいてＭＩＢ情報データベースに格納された特性値には，入力電圧，入力電流，入力電力，出力電圧，出力電流，出力電力，電源装置内部の所定部位の電圧・電流，付帯する部材の特性値のうち何れか又は，全てを含むものとする請求項１乃至４記載の，電源装置のネットワーク管理システムとした。
請求項６に関しては，電源装置のネットワーク管理システムにおいて，ＭＩＢ情報データベースに格納される，付帯する部材の特性値には，電圧，電流，温度に加えて，異常・故障の判定が出来る基準特性値を含むものとする請求項１乃至５記載の，電源装置のネットワーク管理システムとした。
請求項７に関しては，電源装置のネットワーク管理システムにおいて，付帯する部材の特性値判定のために，電池の電圧・残存容量又は寿命末期又は故障の判定が可能な数値データ収集の指令を出す電源機能管理手段を含む電源装置とする請求項１乃至６記載の，電源装置のネットワーク管理システムとした。
請求項８に関しては，前記ＭＩＢ情報データベースのデータは，ＳＮＭＰ（Simple Network Management Protocol）に従って制御されて，送信され受信されることを特徴とする請求項１乃至７記載の電源装置ネットワーク管理システムとした。
【００１０】
このようにして簡易な構成でアフターサービスを速く対応させるに必要な働きを達成させる事とした。特許文献１の場合に比べてエージェント機能部分の記憶容量が，１台の被管理電源装置の特性データを格納するだけでよいから，エージェント機能部分に必要なスペースも格段に小さくなりエージェント機能モジュールとして電源装置の僅かの空きスペースに付帯させることが可能となった。監視側の装置であるＳＮＭＰマネージャについては，在来ソフトウエアを利用するので，ソフトウエア開発の時間とコストの削減することが出来た。
【００１１】
被管理電源装置の種類によっては，ユーザの指定する充電可能な二次電池などを付帯させるので，該電池の充電状態や寿命末期の状態など，多様な監視点の様々の特性データ情報を検出するデータ検出手段と，データの判定機能（異常判定手段）とから構成された従来の電源装置のＳＮＭＰエージェント機能モジュールのメモリ容量とＣＰＵの処理を軽減させるべく，データの判定機能（異常判定手段）をＳＮＭＰエージェント機能モジュールから外してＳＮＭＰマネージャ側に移し設けたので，ＳＮＭＰエージェント機能モジュールの簡素化に寄与した。これを筐体に組み込む体積の制約が少なく，ＳＮＭＰ非対応の稼動中の電源装置への被管理機能付加工事が容易になった。
【００１２】
ＭＩＢ（Management Information Base）情報として，収集したデータの名称，数値データ，説明する記述文章としてＭＩＢデータベースに格納するソフトウエアは在来の技術が利用でき，開発負担が削減できた。このネットワークに今後，追加して接続される電源装置側にはＭＩＢデータのうちＯＩＤ付与する入力負担だけで，多品種の電力制御電源に対応できたので，低コスト構成で電源装置のネットワーク管理システムの提供が可能になった。
【００１３】
ネットワークを管理するプロトコルとしてＳＮＭＰを用いる事によってネットワークの今後の拡張への対応が容易であり，光源用電源や電解用電源，電池充電用電源，溶接用電源など多種の制御機能つきや電池など付帯部材つき電源装置の遠隔監視などネットワーク管理システムの拡張が容易に可能になったので，多品種の電源装置の保守点検コスト削減に寄与するシステムとなった。
【発明の効果】
【００１４】
検出したデータの判定機能（異常判定手段）を従来方式のＳＮＭＰエージェント機能モジュールから外して，ＳＮＭＰマネージャ側に移動して設けたので，ＳＮＭＰエージェント機能モジュールの簡素化に寄与し在来の電源装置へ追加工事が容易となり有効である。
納入後に，追加して接続される電源装置側には，ＭＩＢデータのうちＯＩＤ（オブジェクトＩＤ）付与に要する入力作業負担だけで，多品種の電力制御電源に対応できたので，多品種の電源装置の修理点検コスト削減に寄与するシステムとなった。
【発明を実施するための最良の形態】
【００１５】
本発明による実施の形態を図１のブロック図に示して説明する。１は遠隔監視される対象の電源装置の電源回路であり，トランジスタなどの制御素子が含まれた回路である。２は付帯部材（二次電池など），３は特性データ検出手段である。４はＭＩＢ情報蓄積装置である。以上を構成するＡが電源装置であり，ネットワーク監視対象である。次にＳＮＭＰエージェント機能モジュール６は，４のＭＩＢ情報蓄積装置，７の通信インタフェース，８の送信制御手段および受信制御手段で構成され，Ａの被管理電源装置に組み込まれるか，または，付帯されて接続される。４のＭＩＢ情報蓄積装置に格納されたデータ量はこの１台の電源装置に対するデータだけであるからメモリー容量は小さくてよい。ＭＩＢ規約に従って８の送受信制御手段によって該規約に基づきデータビット列に変換した検出特性データが，７の通信インタフェースを介して通信回線９に接続され送信される。以上の構成は通信機能を含んだ電源装置Ａの主要な部分である。
【００１６】
次に，ＳＮＭＰマネージャＭの構成について述べる。表示制御手段１４で表示手段Ｄに表示された数値を監視するために，送受信制御手段１１，ＭＩＢデータベース蓄積手段ＭＩＢの情報データがＳＮＭＰ規約に従って，通信インタフェース１０を介してＳＮＭＰエージェント機能モジュール６との間で通信回線９を介して送受信される。伝送されて前記電源装置ＡのＳＮＭＰエージェント機能モジュール６のデータが受信されてＭＩＢデータベースと表示制御手段１４とによって数字信号が対応した文章に変換されて表示され監視される。１２はＭＩＢデータベース追記手段であって，新しくこのシステムで管理される電源装置Ａの仕様に合わせて新たな管理項目と数値，表示文章などのＭＩＢ情報を追記する。この追記作業と該電源装置を特定するオブジェクト識別子（ＯＩＤ）を付与するだけで多品種の電源装置の遠隔監視に対応することが出来る。
【００１７】
ＳＮＭＰエージェント機能モジュールは，オブジェクト識別子（ＯＩＤ）がネットワーク被管理電源装置毎を特定する目的で付与されたメモリーデバイスと，ＣＰＵデバイスとで形成されており，納入先別の番号がネットワーク被管理電源装置毎に付与されたメモリーデバイスと，ＣＰＵデバイスとで形成されたＳＮＭＰエージェント機能モジュールである。通信回線９は，ネットワーク回線であり，電波，光を媒体とする通信回線やインターネットも含まれる。
【００１８】
納入される被管理電源装置が新しく追加される度に，従来のプロキシエージェントようにソフトウエア開発（例えば，５０人・日）を必要として来たことを，簡易なＯＩＤ付与のインプット作業と，ＳＮＭＰマネージャＭ側で納入先別の番号を文字に書き直す追記作業及び管理項目と数値，表示文章を追記する作業工数（例えば，８人・時）で，同じ効果を得ることが可能になったので本発明のシステムが安価に提供できる。
【実施例】
【００１９】
本発明による他の実施例を図２によって説明する。図１と同じ符号の部分は説明を省いて述べる。５の電源機能管理手段は，特性データ検出手段にデータ収集指令を出すものである。
【００２０】
例えば付帯部材として停電時の待機用に二次電池が内蔵されている場合，いざ停電となって二次電池に蓄電された電気容量が無くなっているようなことが起こらないように，周期的に二次電池を診断する機能を作動させて，放電容量を検出してデータとして保存するように，５の電源機能管理手段はデータ収集指令を出す。このような日常的な保守作業機能を担わせるのが電源機能管理手段５である。
【産業上の利用可能性】
【００２１】
以上のように電源装置の遠隔監視・故障診断などネットワーク管理システムを低コストで実現可能にした。設備として稼動中の各種電源装置のアフターサービスへの対応が速いなって，設備稼働率が向上する。集中管理センターで，世界中で稼動する電源装置の運転状態を遠隔監視するとともに，故障した個所の内容を知ることが出来，電源装置の稼働率が向上し，産業上の貢献度が高い。
【図面の簡単な説明】
【００２２】
【図１】本発明による一実施形態のブロック図
【図２】本発明による第二の実施形態のブロック図
【図３】従来の装置のブロック図
【符号の説明】
【００２３】
１  電源回路    
２  付帯部材（二次電池など）
３  特性データ検出手段
４  ＭＩＢ情報蓄積装置
５  電源機能管理手段
６  ＳＮＭＰエージェント機能モジュール
７  通信インターフェイス
８  送信制御手段及び受信制御手段
９  通信回線（ネットワーク回線、インターネット）
１０  通信インターフェイス
１１  送信制御手段および受信制御手段
１２  ＭＩＢデータベース追記手段
１３  特性データ判断手段
１４  表示制御手段
Ａ  被管理電源装置
Ｄ  表示手段
Ｍ  ＳＮＭＰマネージャ
ＭＩＢ    ＭＩＢデータベース蓄積手段
【図１】
2005157903.tif 000003
【図２】
2005157903.tif 000004
【図３】
2005157903.tif 000005